(57)【特許請求の範囲】
【請求項１】
ソールのサイド部分を含むシャンク部全体に三軸織物の使用部分を設けたことを特徴とする履物。
【請求項２】
前記使用部分は運動の際、変形する部分を含むことを特徴とする請求項１に記載の履物。
【請求項３】
前記変形は捻じれ変形であることを特徴とする請求項２に記載の履物。
【請求項４】
前記変形は曲げ変形であることを特徴とする請求項２に記載の履物。
【請求項５】
前記変形は引っ張り変形であることを特徴とする請求項２に記載の履物。
【請求項６】
衝撃のかかる部分にも三軸織物の使用部分を設けたことを特徴とする請求項１〜５に記載の履物。
【請求項７】
前記衝撃のかかる部分は踵部分であることを特徴とする請求項６に記載の履物。
【請求項８】
前記使用部分は過大な応力が係る部分を含むことを特徴とする請求項１に記載の履物。
【請求項９】
前記使用部分は外から見える部分であることを特徴とする請求項１に記載の履物。
【請求項１０】
前記外から見える部分はソールの裏から見える部分であることを特徴とする請求項９に記載の履物。
【請求項１１】
前記外から見える部分はソールの側面から見える部分であることを特徴とする請求項９に記載の履物。
【請求項１２】
前記外から見える部分は履物のなかから見える部分であることを特徴とする請求項９に記載の履物。
【請求項１３】
前記外から見える部分はソールの一部に窓をつけてその窓から見える部分であることを特徴とする請求項９に記載の履物。
【請求項１４】
前記三軸織物をアウトソールの中間にインサートしてなることを特徴とする請求項１〜１３のいずれかに記載の履物。
【発明の詳細な説明】
【０００１】
【発明の属する技術分野】
本発明は履物、特にスポーツ用やカジュアル用等のシューズのソール部分に係るものである。
【０００２】
【従来の技術】
従来から、スポーツ用シューズやカジュアル用シューズのソールには、靴の足に対するフィット感を高め、踏み込む力を的確に、ロスなく地面に伝えるため、一般的に、ウレタンゴムなどの柔らかい樹脂が用いられている。
【０００３】
しかし、このような柔らかい樹脂は弾性率が小さい分、復元率も小さいものが多く、使用を繰り返すうちに更に復元性が低下し、へたりが見られることが多かった。そのようにへたりが起きるとフィット感が低下するばかりか、足底筋に不自然な力を及ぼし疲労感の原因ともなっていた。
【０００４】
これに対し、樹脂の復元性、弾性を向上させるため、繊維を混入したり、張りつけたりして、繊維強化樹脂としたものを用いるものも、多く存在している。
【０００５】
ただし、ここで繊維といったのは、一般の織物のことであり、縦糸と横糸が一定の法則に従って直角に交差して作られ、長さと幅を有するものである。
【０００６】
【発明が解決しようとする課題】
しかしながら、上記のような二軸の織物はその０°（横糸）方向の引っ張り強度に比べの４５°方向の引っ張り強度は極めて低く、かなりの異方性を示す。
【０００７】
ところが、人が歩いたり走ったりする場合、特に、理想的なフォームで足を運ぶ時には、図８の矢印Ａように、踵からつま先まで体重移動する。この時、ソールと足の裏がフィットし続けるためには、矢印Ｂのような引っ張り応力をそれぞれの部分で受け止める必要がある。また、ソールのサイド部分にも図８の矢印Ｃのような方向に強い引っ張り力がかかり、捻じれを引き起こす。
【０００８】
このように、ソールにかかる引っ張り応力は、一方向ではなくあらゆる方向にわたって変化するため、ソール強度、弾性、耐久性にも等方性が要求される。そのため、上記二軸の織物では、その異方性が問題となり、例えば複数の織物を４５°づつずらして積層し、使用する方法が取られていた。いわゆる擬似等方積層であるが、これは複合材料の厚みを増大させると共に、スポーツ用シューズやカジュアル用シューズでは致命的欠陥ともなりかねない重量の増加を引き起こす。また、多数の織物をその織り糸の方向を規制しながら積層するのは手間がかかり、工数が増大して生産効率が低下するという問題もある。
【０００９】
本発明は上記の従来技術の課題を解決し、前記提案を現実化するためになされたもので、その目的とするところは、ソール部の強度、弾性、耐久性を向上させることにより、疲れにくく、走力をアップさせ、耐久性に優れ、また、三軸織物の持つ美観によりファッション性にも優れたシューズを提供することにある。
【００１０】
【課題を解決するための手段】
上記目的を達成するために本発明にあっては履物のソールのサイド部分を含むシャンク部全体に三軸織物の使用部分を設けたことを特徴とする。
【００１１】
ここで三軸織物とは、２本の経糸と緯糸が複数本の繊維束で編成され、約６０度程の角度で交差した形態の織物を言う。
【００１２】
これにより、履物のソール部分の強度を向上させることができる。
【００１３】
前記使用部分は運動の際、変形する部分を含むことを特徴とする。
【００１４】
これにより、激しく運動しても三軸織物の等方性によりあらゆる方向に変形しやすく、常に足にフィットし続けるため、シューズの中で足がばたつくこともなく、運動時の足の力を常にロスなく地面に伝えることができ、走力がアップする。
【００１５】
前記変形は捻じれ変形であっても曲げ変形であっても引っ張り変形であってもよい。
【００１６】
このように、シャンク部は特に変形し易いため、フィット感は著しく向上する。
【００１７】
衝撃のかかる部分にも三軸織物の使用部分を設けたことを特徴とする。
【００１８】
これにより、かなり激しい動きをした場合や、あれた地面を走った場合などにも、三軸織物がその衝撃をあらゆる方向へ分散させるため、ソールの衝撃による形崩れを防止でき、シューズの耐久性が向上する。
【００１９】
前記衝撃のかかる部分は踵部分であることも好適である。
【００２０】
前記使用部分は過大な応力が係る部分を含むことを特徴とする。
【００２１】
これにより、ソールが足及び地面から受けたあらゆる方向の引っ張り応力に対し、三軸織物の等方性からその強度を保つことができ、樹脂が伸びきって形崩れを起こすことを防止し、シューズの保形性が著しく向上するものである。
【００２３】
前記使用部分は外から見える部分であることを特徴とする。
【００２４】
これにより、三軸織物を構成する経糸や緯糸の色合いを変えるなどすればシューズ自体のファッション性が向上し、デザイン的にも優れたものを提供することができる。
【００２５】
前記外から見える部分はソールの裏から見える部分であってもよい。
【００２６】
前記外から見える部分はソールの側面から見える部分であってもよい。
【００２７】
前記外から見える部分は履物のなかから見える部分であってもよい。
【００２８】
前記外から見える部分はソールの一部に窓をつけてその窓から見える部分であってもよい。
【００２９】
前記三軸織物をアウトソールの中間にインサートしてなることを特徴とする。
【００３２】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００３３】
（実施の形態１）
本発明の第１の実施の形態に係るシューズのソールを図１，図２に示す。図１は、短距離用スパイクシューズのプレートであり、図２は長距離用スパイクシューズのプレートである。
【００３４】
これらのスパイクプレートは、ポイントを螺合させるアルミナット３を所定の位置に、プレートと同じ形状の三軸織物１をミッドソールとの接着面側（裏側）に、セットし、ナイロン系樹脂２を射出成形することによってなる。つまり、プレートに張りつけるような形になる。ナイロン系樹脂は比重が小さく、撓み性、適度の吸湿性を有するため、このようなスパイクプレートに適した材料だといえるが、保形性に乏しく、捻じれやへたれが生じ易い。これに対し三軸織物を図１，２（ｂ）のように、インサートすることにより、三軸織物の組織による剪断強さ（曲げ強さ）により、ソールの強度が増し、シューズの形状を維持するものである。同時に、弾性も向上するため、走行中、足にフィットし続けてばたつきを抑え、足の力をロスなく地面に伝える。更に、その反発力により走力がアップする。
【００３５】
また、スパイクシューズでは地面から受ける衝撃はつま先部分のポイントに集中するため、足の一部に大きな負担が係ることとなり、まめなどのできる原因ともなっていたが、三軸織物はその等方性から、集中した衝撃を分散させ、足の一部に大きな負担が係ることを防止できる。またこの際、三軸織物は耐衝撃性が高いため、劣化しにくい。
【００３６】
更に、スピードを競う競技に用いられるものであるから、軽量化が最も重要な要素となるが、三軸織物では、一枚でもあらゆる方向に対して引っ張り強度や引き裂き強度が強いため従来の二軸織物のように複数枚重ねる必要はなく、シューズの軽量化が可能である。また、使用する経糸や緯糸の打ち込み本数を少なくしたり、細い番手の糸を使用することができるため更にシューズを軽量化できる。この点でも三軸織物はソールの強化繊維に非常に適している。
【００３７】
ナイロン系樹脂に透明なものを用いれば図の様に三軸織物がすけて見えるため三軸織物の糸の色を変えるだけで様々なデザインのシューズを提供できる。
【００３８】
また、短距離系のスパイクシューズは長距離系に比べてポイントが多く、ポイントとポイントの間に成形された小さな固定ポイントは長距離系がほぼ垂直な円錐、角錐であるのに対し、短距離系ではやや踵向きに傾いている。
【００３９】
本実施の形態ではスパイクプレートのみについて説明したが、スパイクプレート以外のソールに三軸織りものを使用してもよい。
【００４０】
（実施の形態２）
本発明の第２の実施の形態に係るシューズを図３に示す。これは、マラソンタイプのスポーツシューズのソールである。
【００４１】
このタイプは、ラバーの中に三軸織物をインサートするのではなく、ラバー４とＥＶＡスポンジ製ミッドソール５との間に足底全体にわたり三軸織物１をセットして同時成形するものである。（図３（ｂ））
ＥＶＡ樹脂とはｅｔｈｙｌｅｎｅ−ｖｉｎｙｌ  ａｃｅｔａｔｅ  ｃｏｐｏｒｙｍｅｒ、つまりエチレン酢酸ビニル樹脂のことである。柔軟性、伸び、耐衝撃性に関し優れた性質をもっているが、三軸織物を使用することでその弾性が向上してフィット感を維持し、変形を防ぎ、耐久性を向上させるものである。これにより、長時間の走行においても、足の疲労を軽減することができる。
【００４２】
また、三軸織物をソールの全面に使用することで、ソールのどの部分においてもどの方向の引っ張り応力に対しても、優れた耐久性、弾性を示すため、様々な状態の路面を走行するマラソンに非常に適したシューズだといえる。
【００４３】
更に、アウトソールに三角窓６や、踏みつけ部のスリット７を設けることにより、更に軽量化でき、しかも、三軸織物のデザイン性の高さを利用したファッショナブルなシューズを提供することができる。
【００４４】
また、図の２点鎖線で示した部分は、履物の甲部（アッパー部）を示しており、ソール部と接着或は縫製等により繋がっている。本発明は、履物のソール部の構成に特徴を持つものであり、甲部の形状は特に問わない。これは他の実施の形態においても同様とするものである。
【００４５】
（実施の形態３）
本発明の第３の実施の形態に係るシューズのソールを図４に示す。これはトレーニングタイプのスポーツシューズのソールである。
【００４６】
この場合、三軸織物は透明ラバー性或はウレタン性のアウトソール８の中間にインサートする。ミッドソール９にはＥＶＡスポンジを用いている。
【００４７】
また、上記実施の形態に対し本実施の形態に係るトレーニングタイプのスポーツシューズでは図の様に踵部分にも三軸織物をインサートすることにより、踵部分の厚さ方向の返りが向上し、踵のフィット感にも優れたシューズを提供することができる。
【００４８】
また、地面から受ける衝撃は踵に集中する場合がよくあるが、このような時には足の一部に大きな負担が係ることとなり、まめなどのできる原因ともなっていたが、三軸織物はその等方性から、集中した衝撃を分散させ、足の一部に大きな負担が係ることを防止できる。またこの際、三軸織物は耐衝撃性が高いため、劣化しにくい。
【００４９】
アウトソール、特に、踵部１０に透明な樹脂（ウレタンやラバー等）を使用することで、履いている状態でも三軸織物が見えるため、シューズのデザイン性が向上する。
【００５０】
（実施の形態４）
本発明の第４の実施の形態に係るシューズのソールを図５，図６に示す。図５はランニングタイプのスポーツシューズのソールである。図６はその組み立て図である。
【００５１】
この場合、三軸織物はシャンク部１１及び後ろ側のアウトソール１２に使用されており、上記第３の実施の形態と同様に、それらの中間にインサートされている。
【００５２】
また、シャンク部にはゴム上弾性体或は熱可塑性ウレタンシートを使用し、アウトソールにはＥＶＡ或はゴム上弾性体を使用している。
【００５３】
このような、踏まず部分がえぐれたシューズでは、この部分が落ち込んだり、折れたり、捻じれたりすることがあった。そういった変形を防止するため、等方性、剪断応力（曲げ応力）に対する強さを持つ三軸織物をシャンク部に使用し、足の圧力が加わっても、三軸で力を分散し、伸びを押さえ、シューズの変形を防止する。このため足の疲労を軽減できる。
【００５４】
また、三軸織物はその等方性から、あらゆる曲面に対してフィットすることができるが、これを運動の際変形し易いシャンク部に使用することにより、シューズのフィット感が著しく向上する。
【００５５】
シャンク部に透明な樹脂を使用することで、履いている状態でも三軸織物が見えるため、シューズのデザイン性が向上する。
【００５６】
（その他の実施の形態）
上記に４タイプのスポーツシューズについて説明したが、本発明はこれらに限定されるものではなく、その他、あらゆる陸上競技用のシューズや、テニス、バトミントン等のラケットスポーツ用のシューズ、フィットネス用のシューズ、ウォーキングシューズ、タウンカジュアル用シューズ、野球やサッカー、バレーボールなどの球技用のシューズ、登山靴などのアウトドア用シューズ、ウィンタースポーツ用シューズ、ゴルフシューズ、サンダル、というような様々な履物にも応用できるものである。
【００５７】
また、三軸織物の組織は、以上の実施の形態に用いた図ではベイシック（図７（ａ））の形態のもののみ表現したが、その他バイプレン（同（ｂ））や、ベイシックバスケット（同（ｃ））、その他にも図７（ｄ）〜（ｆ）に示したもの等、どのような形態の三軸織物を使用してもよい。
【００５８】
【発明の効果】
本発明は履物のソールに三軸織物の使用部分を設けたことにより、履物のソール部分の強度を向上させることができる。
【００５９】
前記使用部分は運動の際、変形する部分であることにより、激しく運動しても三軸織物の等方性によりあらゆる方向に変形しやすく、常に足にフィットし続けるため、シューズの中で足がばたつくこともなく、運動時の足の力を常にロスなく地面に伝えることができ、走力がアップする。
【００６０】
前記使用部分は衝撃のかかる部分であることにより、かなり激しい動きをした場合や、あれた地面を走った場合などにも、三軸織物がその衝撃をあらゆる方向へ分散させるため、ソールの衝撃による形崩れを防止でき、履物の耐久性が向上する。
【００６１】
前記使用部分は過大な応力が係る部分であることにより、ソールが足及び地面から受けたあらゆる方向の引っ張り応力に対し、三軸織物の等方性からその強度を保つことができ、樹脂が伸びきって形崩れを起こすことを防止し、履物の保形性が著しく向上するものである。
【００６２】
前記使用部分が外から見える部分であれば、三軸織物を構成する経糸や緯糸の色合いの変化等により、履物自体のファッション性が向上し、デザイン的にも優れたものを提供することができる。
【００６３】
以上のようにソールに三軸織物を用いれば、ソール部の強度、弾性、耐久性を向上させることにより、疲れにくく、走力をアップさせ、耐久性に優れ、また、三軸織物の持つ美観によりファッション性にも優れた履物を提供できる。
【図面の簡単な説明】
【図１】図１（ａ）は短距離系スパイクシューズのプレートの正面図である。（ｂ）はそのプレートのＡ−Ａ断面図である。
【図２】図２（ａ）は長距離系スパイクシューズのプレートの正面図である。（ｂ）はそのプレートのＢ−Ｂ断面図である。
【図３】図３（ａ）はマラソンタイプのスポーツシューズのソールの正面図である。（ｂ）はそのソールのＣ−Ｃ断面図である。（ｃ）はそのソールの側面図である。
【図４】図４（ａ）はトレーニングタイプのスポーツシューズのソールの正面図である。（ｂ）はそのソールのＤ−Ｄ断面図である。（ｃ）はそのソールの側面図である。
【図５】図５（ａ）はランニングタイプのスポーツシューズのソールの正面図である。（ｂ），（ｃ）はそのソールの側面図である。
【図６】図６はランニングタイプのスポーツシューズのソールの組み立て図である。
【図７】図７（ａ）〜（ｆ）は本発明の実施の形態１〜４に係る履物のソールに用いられ得る三軸織物を示す図である。
【図８】図８（ａ）は走行中の体重移動及びソールに係る引っ張り応力の説明図である。（ｂ）は走行中のソールに係る引っ張り応力の側面説明図である。
【符号の説明】
１・・・３軸織物
４，８・・・アウトソール
５，９・・・ミッドソール
１１・・・シャンク部
【図１】
0004381485.tif 000002
【図２】
0004381485.tif 000003
【図３】
0004381485.tif 000004
【図４】
0004381485.tif 000005
【図５】
0004381485.tif 000006
【図６】
0004381485.tif 000007
【図７】
0004381485.tif 000008
【図８】
0004381485.tif 000009